(57)【特許請求の範囲】
【請求項１】
少なくとも一部を押圧し変形させることにより内包した当該液状物を塗布するために先端部から吐出させ得る容器本体と、
この容器本体が前記先端部を外方に露出させた使用状態及び前記先端部を密閉する密閉状態を取り得るように前記容器本体に対し着脱可能に設けられるキャップとを具備してなる塗布用容器であって、
前記キャップが、形状が変形不能に保持されたキャップ本体と、
このキャップ本体の内方に位置付けられ前記容器本体の先端部を密閉する内筒と、
キャップ本体に設けられ前記容器本体側に係り合う係合面と、
前記キャップ本体に設けられ当該キャップ本体に対して姿勢変更することにより前記容器本体の係合部を弾性変形させて前記容器本体との係り合いを解除し得る操作部とを有することを特徴とする塗布用容器。
【請求項２】
前記キャップが、前記密閉状態で底面を接地させることにより前記容器本体を前記先端部を下方に位置付けた倒立姿勢とし得るものである請求項１記載の塗布用容器。
【請求項３】
前記容器本体が前記操作部の動作により前記キャップとの係り合いを解除し得る係合部を有するものであり、この係合部に前記操作部に加わる操作力を前記キャップと容器本体との離間方向への押圧力に変換する動作変換面を有している請求項１又は２記載の塗布用容器。
【請求項４】
前記容器本体が、前記離間方向への動作を案内すべく前記キャップに摺動する案内部を有している請求項３記載の塗布用容器。
【請求項５】
前記キャップが、使用状態にある前記容器本体の係合部に当接したときに当該係合部を前記係合面へ向けて案内する案内面を有している請求項１、２、３又は４記載の塗布用容器。
【請求項６】
前記容器本体が、前記内筒に内側から嵌り得る気密部を有している請求項１、２、３、４又は５記載の塗布用容器。
【請求項７】
前記液状物が糊又は接着剤であり、前記容器本体が前記液状物を吐出するための開口を有し、この開口に設けられた前記液状物を通過させ得る通過シートを介して吐出される請求項１、２、３、４、５又は６記載の塗布用容器。
【発明の詳細な説明】
【技術分野】
【０００１】
本発明は、液状物を塗布するための塗布用容器に関するものである。
【背景技術】
【０００２】
従来、粘性が高い液体やゲル状をなす糊等の液状物を収納しておくための容器本体とこの容器本体の先端に設けたノズル等の吐出口から液状物が漏れ出さないように封をするためのキャップとを具備している塗布用容器が提案されている。従来これらの塗布用容器では、キャップを容器本体側に対しねじ止めする機構を設けたり、キャップ自体に吐出口と当該吐出口を開閉するためのフタを一体に形成したりした構造が用いられてきた。
【０００３】
そして現状、これらの塗布用容器のうち、構成を簡素なものとしつつ且つキャップの取り外しを行い易いようにするために、キャップを弾性変形可能に設けておき、使用者がキャップを手指で摘むようにしてキャップ全体を撓ませるようにして、キャップを容易に外して使用し得る塗布用容器が提案されている（例えば、特許文献１参照)。
【０００４】
しかしながらこれらのような塗布用容器では、塗布用容器を持ち歩く際や輸送時において、キャップに不意に衝撃が加わることによって当該キャップ全体が撓んで容器本体からが外れてしまい、液状物がボトル外へ漏出してしまうという場合も考えられる。
【先行技術文献】
【特許文献】
【０００５】
【特許文献１】特開２０１３−２３０８３８号公報
【発明の概要】
【発明が解決しようとする課題】
【０００６】
本発明は、このような不具合に着目したものであり、液状物を安定して収容しつつ、容易且つ速やかに使用し得る塗布用容器を提供することを目的としている。
【課題を解決するための手段】
【０００７】
本発明は、このような目的を達成するために、次のような手段を講じたものである。
【０００８】
すなわち本発明に係る塗布用容器は、少なくとも一部を押圧し変形させることにより内包した当該液状物を塗布するために先端部から吐出させ得る容器本体と、この容器本体が前記先端部を外方に露出させた使用状態及び前記先端部を密閉する密閉状態を取り得るように前記容器本体に対し着脱可能に設けられるキャップとを具備してなる塗布用容器であって、前記キャップが、形状が変形不能に保持されたキャップ本体と、このキャップ本体の内方に位置付けられ前記容器本体の先端部を密閉する内筒と、キャップ本体に設けられ前記容器本体側に係り合う係合面と、前記キャップ本体に設けられ当該キャップ本体に対して姿勢変更することにより前記容器本体の係合部を弾性変形させて前記容器本体との係り合いを解除し得る操作部とを有することを特徴とする。
【０００９】
このようなものであれば、密閉状態から使用状態へとすべくキャップを容器本体から取り外す際に塗布用容器を触れることなく係り合いを解除することができるので、容器本体を誤って押圧してしまい不要に液状物を吐出させてしまうという可能性を有効に排除することができる。これにより、キャップへの操作後、速やかに液状物を先端部から吐出させて使用することが可能となる。すなわち本発明によれば、液状物を安定して収容しつつ、容易且つ速やかに使用し得る塗布用容器を提供することができる。
【００１０】
加えて、密閉状態で容器本体を倒立状態とし得る構成とすれば、キャップへの操作後倒立状態にある容器本体の先端部から速やかに下方に溜まった液状物を吐出させることができる。これにより、液状物の粘性等により容器本体内を液状物が上下動するのに要する時間に関係無く、速やかに液状物を先端部から吐出させて使用することが可能となる。
【００１１】
また、操作部の操作による速やかな上記係り合いの解除を実現するためには、容器本体を操作部の動作によりキャップとの係り合いを解除し得る係合部を有するものとし、この係合部に操作部に加わる操作力をキャップと容器本体との離間方向への押圧力に変換する動作変換面を設けておく事が望ましい。
【００１２】
また、動作変換面の動作を正確に実現し得る構成として、容器本体に、離間方向への動作を案内すべくキャップに摺動する案内部を設けた構成を挙げることができる。
【００１３】
また、使用状態から密閉状態へのキャップの装着を容易なものとするためには、キャップに、使用状態にある容器本体の係合部に当接したときに当該係合部を係合面へ向けて案内する案内面を設ける事が望ましい。
【００１４】
液状物の不要な乾燥や漏れを有効に防ぎ得る密閉状態を実現する構成として、容器本体に、内筒に内側から嵌り得る気密部を設けた構成とすることが望ましい。
【００１５】
そして上述した塗布用容器は、液状物が糊又は接着剤であり、容器本体が液状物を吐出するための開口を有し、この開口に設けられた液状物を通過させ得る通過シートを介して吐出される態様としたときに有効に利用することができる。
【００１６】
加えて本発明に好適に適用し得る接着剤の粘度は５００ｃｐｓ〜３００００ｃｐｓが望ましく、さらに望ましい粘度としては１０００ｃｐｓ〜１００００ｃｐｓであるものを挙げることができる。
【発明の効果】
【００１７】
本発明によれば、液状物を安定して収容しつつ、容易且つ速やかに使用し得る塗布用容器を提供することができる。
【図面の簡単な説明】
【００１８】
【図１】本発明の一実施形態に係る外観図。
【図２】同正面図。
【図３】同他の外観図。
【図４】同実施形態に係るキャップの平面図。
【図５】同キャップの中央側断面図。
【図６】同実施形態に係るノズルの正面から見た外観図。
【図７】同ノズルの側面から見た外観図。
【図８】同ノズルの底面図。
【図９】同ノズルを分解して示す構成説明図。
【図１０】同ノズルを構成する裏当体を示す構成説明図。
【図１１】同実施形態の要部を示す中央側断面図。
【図１２】図１１に係る動作説明図。
【図１３】同上。
【図１４】図８のＡ−Ａ線断面に係る動作説明図。
【図１５】同上。
【図１６】図８のＢ−Ｂ線断面に係る作用説明図。
【発明を実施するための形態】
【００１９】
以下、本発明の一実施の形態について図面を参照して説明する。
【００２０】
本実施形態に係る塗布用容器は、液状物である糊ｇを貯留するボトル１０と、このボトル１０のうち外方に露出した少なくとも一部を押圧し変形させることにより内包した糊ｇを塗布するためにこのボトル１０の先端側に取り付けられ糊ｇを塗布し得る先端部Ｘを有するノズル２とを有する容器本体１と、この容器本体１が先端部Ｘを外方に露出させた使用状態（Ｑ）及び先端部Ｘを密閉する密閉状態（Ｐ）を取り得るように容器本体１に対し着脱可能に設けられるものであり密閉状態（Ｐ）で底面を接地させることにより容器本体１を先端部Ｘを下方に位置付けた倒立姿勢とし得るキャップ３とを具備してなるものである。
【００２１】
本実施形態では、塗布用容器の内容物である液状物として、主に紙類同士を止着することにより封筒の封緘や紙類を用いた工作を好適に行い得る、いわゆる「水糊」と呼ばれる糊ｇを使用している。この糊ｇは、粘度が５００ｃｐｓ〜３００００ｃｐｓであるか、より具体的には１０００ｃｐｓ〜１００００ｃｐｓに設定されることにより、塗布後の液だれが有効に抑えられるという特性と、ボトル１０内での移動に際し、粘度に起因して若干の時間を要してしまうという特性とを併せ持つ。
【００２２】
ここで、本実施形態に係る塗布用容器は、キャップ３が、形状が変形不能に保持されたキャップ本体たる外筒３１と、このキャップ３本体の内方に位置付けられ容器本体１の先端部Ｘを密閉する内筒３４と、外筒３１に設けられ容器本体１側に係り合う係合面たる爪受け面３２ａと、キャップ３本体に設けられ当該キャップ３本体に対して姿勢変更することにより容器本体１との係り合いを解除し得る操作部たる操作板３３とを有することを特徴とする。
【００２３】
以下、本実施形態に係る塗布用容器の具体的な構成について詳述する。
【００２４】
塗布用容器は、上述した通り、糊ｇを貯留した容器本体１と、容器本体１の先端部Ｘを密閉するためキャップ３とを有している。
【００２５】
容器本体１は、ボトル１０と、ノズル２とを有している。ボトル１０は、例えば弾性変形可能であり、且つ内部の糊ｇの残量が外方から視認し得るよう透明又は半透明の樹脂素材により一体成形されている。このボトル１０は、下端をノズル２にねじ込むための雄ねじ面１０ａと、横方向から使用者が掴みやすいように設けられた凹み１０ｂと、上端を部分球状に膨出させた頂面１０ｃとを有している。この頂面１０ｃの形状により、容器本体１はノズル２を上側にして自立することが出来ない構成となっている。また勿論、ボトル１０の外側には別途糊ｇの残量を視認し易くするための目盛りや、他の必要事項等が印刷されたフィルムを被覆しても良く、またボトル１０において例えば雄ねじ面１０ａの部位の樹脂素材の厚みを大きくすることにより他の部位よりも変形し難く構成する等、詳細な仕様は既存の種々のものと適用し得る。以下、キャップ３及びノズル本体２０の構成について説明していく。
【００２６】
キャップ３は、図３〜図５に示すように、樹脂の一体成形によって形成された外形が概略円筒形状をものであり、底面３９を接地させた状態で各構成要素が上方及び側方に露出する形状をなす。またキャップ３は、ノズル本体２０を平面方向で互いに１８０°異なる２つ向きの何れであってもノズル本体２０と係り合う密閉状態（Ｐ）を構成し得る。このキャップ３は、当該キャップ３の外形を形成するキャップ本体たる外筒３１と、外筒３１において対向する２箇所に形成された開口である係合窓３２と、この係合窓３２内に突出するように外筒３１に一体に弾性変形可能に形成された操作板３３と、ノズル２の先端部Ｘを密閉した状態で収容するための内筒３４と、キャップ３装着するときにノズル２を案内するための案内面たる案内スロープ３５と、係合窓３２と内筒３４との間に形成された爪収容穴３６とを有している。
【００２７】
キャップ本体たる外筒３１は、底面３９へ漸次径を広げながら接続することで載置時の安定性と持ち易さの向上を併せて実現したフランジ３１ａと、操作板３３及び係合窓３２を設けた位置から平面視９０°異ならせた位置を凹ませて設けた凹み面３１ｂと、脱着時にノズル本体２０に摺接する内壁面３１ｃとを有している。
【００２８】
係合窓３２は、外筒３１における両側２箇所を切り欠いて設けたものであり、ノズル本体２０側の係合爪２２に係り合うべく下向きに面した爪受け面３２ａを上端に有している。
【００２９】
操作板３３は、係合窓３２の内側を埋めるように板状に成形したものである。この操作板３３は、樹脂素材を薄く構成することにより弾性変形し得る弾性板３３ｃと、弾性板３３ｃの先端側において手指により外方から押圧し易いよう適宜凹ませた操作面３３ａと、操作面３３ａの裏面側でノズル本体２０を押圧するための押圧面３３ｂとを有している。
【００３０】
内筒３４は、外筒３１よりも内側において平面視の外形を円形状としつつ、底面側を先端部Ｘの形状に応じた四角形状としたものである。この内筒３４は、平面視外側へ向けて立設し内筒３４自体の強度を保つための補強リブ３４ａと、内筒３４の内側の上面においてノズル本体２０の回転を許容するとともにノズル本体２０に接して先端部Ｘを密閉する円周面３４ｂと、円周面３４ｂの下方において先端部Ｘの形状に応じるように形成された四角面３４ｃ及び四角底面３４ｅと、円周面３４ｂと四角面３４ｃとを滑らかに連続させるように形成した連続面３４ｄと、先端部Ｘの周囲を気密状態とすべく円周面３４ｂから内方にリング状に突出させて設けたリング状リブ３４ｆとを有している。また上記補強リブ３４ａは上記内筒３４自体の補強のみならず、外方から操作板３３を当接させることより当該操作板３３の動作終端を決めるためにも機能する。これにより操作板３３の特に弾性板３３ｃの過度の弾性変形及びその繰り返しによる樹脂素材の不要な疲労を回避することができる。
【００３１】
案内スロープ３５は、図４に示すように、ノズル本体２０を正確に密閉状態（Ｐ）とし得る位置に案内し、位置付けるために、同図の図示で上下対照形状に形成されたものである。この案内スロープ３５は、使用状態（Ｑ）にある容器本体１の係合部たる係合爪２２に当接したときに係合爪２２を爪受け面３２ａへ向けて案内すべくノズル本体２０側の平面方向の向きを案内するための案内面たる回転案内面３５ａとこれら回転案内面３５ａ間に介在し、ノズル本体２０を案内する方向を決定づけるための境界面３５ｂとを有している。回転案内面３５ａは外筒３１の凹み面３１ｂを設けた位置の内側にそれぞれ対をなして左右対称に設けたものである。この案内スロープ３５は、境界面３５ｂにおいてはなだらかに湾曲した形状をなして上方へ突出し、それぞれ爪受け面３２ａに近くなるにつれて漸次高さ寸法が低くなるように断面視山形に設定してある。これにより、ノズル本体２０の係合爪２２がそれぞれ案内スロープ３５に接したとき、ノズル本体２０はキャップ３に対して相対的に回転しながら密閉状態（Ｐ）まで案内される。
【００３２】
爪収容穴３６は、係合窓３２の内側に形成された係合爪２２を内筒３４の外側で収容するためのものである。この爪収容穴３６は、上述した案内スロープ３５に連続する爪収容面３６ａを対面するように形成している。そして密閉状態（Ｐ）では、この爪収容面３６ａに挟み込まれるように係合爪２２が収容される。
【００３３】
ノズル２は、図６〜図１６に示すように、ボトル１０の先端側にねじ止めされ、ボトル１０内の糊ｇを塗布するためのものである。このノズル２は、ボトル１０にねじ止めされるノズル本体２０と、ノズル本体２０の先端から露出するメッシュ５と、メッシュ５を裏側から押圧しメッシュ５が先端側に露出する形状を形作る裏当体４とを有している。
【００３４】
ノズル本体２０は、雌ねじ部２０ａでボトル１０に直接接続して取り付けられるとともに、平面視中央で先端側へ突出する角筒体２１と、角筒体２１の両側から対をなして突出する係合部たる係合爪２２と、係合爪２２が退避した箇所に立設されキャップ３側に接し得る離間案内リブ２３と、キャップ３の内筒３４に嵌り込むことで密閉状態（Ｐ）としたとき先端部Ｘを気密に保つための気密部２４とを有している。
【００３５】
角筒体２１は、先端へ向けて概略直方体状に突出するように形成されたものであり、先端縁にてメッシュ５を露出させて糊ｇを吐出するために設けた開口２１ａと、内部に裏当体４に密着させるための内面２１ｂと、開口２１ａ近傍における４箇所で内法寸法を小さく設定すべく内方へ突出させることで、、メッシュ５及び裏当体４を強く係り合わせるための挟持リブ２１ｃとを有している。
【００３６】
係合爪２２は、容器本体１が操作部たる操作板３３の動作によりキャップ３との係り合いを解除し得る係合部に相当するものである。この係合爪２２は、キャップ３の爪受け面３２ａに当接して密閉状態（Ｐ）を構成し得る引掛面２２ａと、操作板３３の押圧面３３ｂに押圧され先端へ向かってキャップ３から遠ざかるよう傾斜した向きに面するテーパ面２２ｂと、引っ掛け面の基端側を退避させ離間案内リブ２３を位置付けた退避縁２２ｃとを有している。そして上記テーパ面２２ｂは、操作板３３に加わる操作力をキャップ３と容器本体１との離間方向への押圧力に変換する動作変換面として機能する。
【００３７】
離間案内リブ２３は、密閉状態（Ｐ）で常に外筒３１の内壁面３１ｃに当接する離間案内面２３ａを有することで、キャップ３の装着時のノズル２自体のがたつきを防止するとともに、キャップ３を取り外す際の容器本体１の動作方向を上下方向に案内するためのものである。すなわち離間案内リブ２３が、容器本体１がキャップ３からの離間方向への動作を案内すべくキャップ３に摺動する案内部に相当する。
【００３８】
気密部２４は、角筒体２１の基端から円柱状に突出することで、密閉状態（Ｐ）で内筒３４の円周面３４ｂの、特に当該円周面３４ｂに設けたリング状リブ３４ｆに内側から嵌りつつ押圧することにより、当該気密部２４よりも先端側を気密状態に保つためのものである。
【００３９】
裏当体４は、ノズル本体２０の内面２１ｂ側から嵌め込む事によってメッシュ５を挟み込み、固定するためのものである。この裏当体４は、基端側において円盤状をなし、ねじ止めされるボトル１０の先端縁に押圧されてなる基端面板４１と、角筒体２１の内面２１ｂに摺接しながら取り付けられる摺接管４２と、角筒体２１の開口２１ａから更に先端側に突出する突出管４３と、この突出管４３から外方に拡開し、メッシュ５を裏面側から押圧して先端部Ｘを形成する裏当板６とを有している。
【００４０】
基端面板４１は、摺接管４２の基端縁から平面視円形状に形成されており、その縁部が、ボトル１０とノズル本体２０との間に挟み込まれることによって、ノズル本体２０に対し内面２１ｂ側から密着し得るものである。
【００４１】
摺接管４２は、角筒体２１の基端側におけるおよそ半分程度の領域で角筒体２１の内面２１ｂに密着する密着面４４と、この密着面４４から先端側における角筒体２１の先端よりの位置で密着面４４よりも若干寸法退避することによりメッシュ５の縁部を収容するための隙間を形成する布収容面４５と、角筒体２１のオーバーハング部から開口２１ａに亘る位置をメッシュ５を挟んだ状態で押圧すべく外方に突出させた第一止着リブ４６及び第二止着リブ４７とを有している。
【００４２】
突出管４３は、角筒体２１の挟持リブ２１ｃの内法寸法と略等しい径に設けられることにより、開口２１ａとの間でメッシュ５を挟み込みつつ開口２１ａよりも先端側へ突出する形状をなす。メッシュ５を組み付けた状態において、当該突出管４３の外側とメッシュ５との間の先端側では、僅かながらの空間が形成され、当該空間にも使用時には若干量の糊ｇが貯留されるようになっている。
【００４３】
裏当板６は、裏当体４の先端において平面視矩形すなわち四角形状、具体的には平面視正方形状に面する概略平面板状のものであり、開口２１ａ並びに突出管４３よりも平面視大きい寸法であり且つ一部が開口２１ａの内法寸法よりも大きな外法寸法を有するように設定してある。これにより、裏当板６が開口２１ａよりも平面視で突出する箇所が、使用者からの視認性も良く、且つ、精密な糊ｇの塗布を行い得る。この裏当板６は、摺接管４２から突出管４３を通過した糊ｇを外方へ吐出させるために設けた複数の孔である吐出口６１と、平面視四角形状の四隅を構成するそれぞれの隅部分を挟むように対をなして形成された合計８本のスリット６２と、このスリット６２近傍に弾性変形可能に設けられ突出端を開口２１ａよりも平面視迫り出して位置付けた迫り出し縁６５とした弾性片６３と、平面視の四辺においてメッシュ５を側面視屈曲させた状態で突出させることにより裏当てる稜線６４とを有している。また本実施形態ではスリット６２を、弾性片６３を挟むように当該弾性片６３毎に対をなして設けて当該弾性片６３の弾性変形が起こり易くするとともに、このスリット６２の一部から液状物たる糊ｇを通過させ得る形状をなす。具体的に説明すると本実施形態ではスリット６２の一部が裏当体４の内面４ａに連通することによって、突出管４３を通った糊ｇは吐出口６１のみならず、スリット６２を介しても吐出されるようにしている。
【００４４】
しかして本実施形態では、容器本体１のノズル本体２０が液状物を吐出するための開口２１ａを有し、この開口２１ａに設けられた液状物たる糊ｇを通過させ得る通過シートたるメッシュ５を介して吐出されるように構成している。そして、ノズル本体２０、メッシュ５及び裏当体４が協働することにより、開口２１ａからさらに先端側へ突出して液状物たる糊ｇを全体から吐出し得る形状が保持された先端部Ｘを構成している。すなわち、裏当板６が開口２１ａの内法寸法よりも大きく設定されていることにより、ノズル本体２０、メッシュ５及び裏当体４が協働することにより少なくとも一部が開口２１ａから平面視迫り出している先端部Ｘが形成されている。また先端部Ｘは、平面視多角形状をなす側面視平面状の裏当板６の形状に伴い、当該形状をなす塗布面５ａを形成している。そして本実施形態では、裏当板６の迫り出し縁６５が、メッシュ５とともに周囲よりも平面視突出した角部を構成している。
【００４５】
ここで、本実施形態に係る塗布用容器は図１１〜図１３に示すように、例えば机上面に底面３９を載置した密閉状態（Ｐ）から、容器本体１にほとんど触れることなくキャップ３側を操作するのみで使用状態（Ｑ）とすることができる。これにより、斯かる操作の際に容器本体１を不要に押圧して糊ｇを不要に吐出させてしまうことがない。
【００４６】
まず、机上面に載置した状態にある図１１の状態から図１２に示すように操作板３３の操作面３３ａを外方から、例えば手指により押圧すると、操作板３３の押圧面３３ｂが係合爪２２の動作変換面たるテーパ面２２ｂを押圧する。このとき、係合爪２２は弾性変形によって引掛面２２ａと爪受けとの係り合いを解除しつつ、テーパ面２２ｂが傾斜していることから容器本体１は操作面３３ａの押圧により上方へ付勢される。ここで、離間案内リブ２３がキャップ３本体たる外筒３１の内壁面３１ｃにつねに摺接することにより、容器本体１は操作板３３に押圧されることで上方へ案内され、なんら触れられることなく使用状態（Ｑ）となる。
【００４７】
そして使用状態（Ｑ）にある容器本体１を例えば机上面等の平面上に載置されたキャップ３により先端部Ｘを封止すべく密閉状態（Ｐ）とするときは、先端部Ｘをキャップ３の内筒３４に差し込むようにすれば良い。そうすれば対をなす係合爪２２はそのまま爪収容穴３６へ収容されれば自ずと係合爪２２及び係合窓３２間の係り合いが実現される。また係合爪２２が爪収容穴３６に収容され得ない向きで容器本体１を差し入れた場合であっても係合爪２２は案内スロープ３５によりスムーズに爪収容穴３６へ案内される。
【００４８】
また、使用状態（Ｑ）とした容器本体１は上述の通り、開口２１ａからさらに先端側へ突出して液状物たる糊ｇを全体から吐出し得る形状が保持された先端部Ｘを構成している。ここで、この先端部Ｘは、上述した裏当板６の構成から、開口２１ａ並びに突出管４３よりも平面視大きい寸法であり且つ一部が開口２１ａの内法寸法よりも大きな外法寸法を有するように設定してある。ここで図１４及び図１５に示すように、当該先端部Ｘを組み立てる際には裏当板６が角筒体２１を通過し得ない外形を有するところ、本実施形態では裏当板６にスリット６２を設けることで迫り出し縁６５を有する弾性片６３を、組み付け時に弾性変形させることにより、先端部Ｘの組付けを可能としている。
【００４９】
すなわち図１４に示すように、先端部Ｘを組み付ける際にはメッシュ５を挟んだ状態でノズル本体２０ｍにおける角筒体２１の内面２１ｂを通過させることとなる。そして図１５に示すように、ノズル本体２０の挟持リブ２１ｃを裏当板６が通過する際には弾性片６３が開口部２１ａに当接し挟持リブ２１ｃの間の角部分を通過するときに弾性変形する事により迫り出し縁６５が一時的に退避する。これにより、裏当板６は挟持リブ２１ｃを容易に通過することができ、図３、図６〜図８、図１１〜図１３及び図１６に示すように、開口２１ａから平面視迫り出した形状をなす先端部Ｘが、ノズル本体２０、メッシュ５及び裏当体４が協働することにより形成される。
【００５０】
そして図１６に示すように、先端部Ｘに設けたスリット６２は裏当体４の内面４ａに連通している。これにより糊ｇは吐出口６１のみならずスリット６２を介しても吐出される。その結果、迫り出し縁６５、すなわち、平面視四角形状の頂点付近からも有効に糊ｇを塗布し得るようになっている。また同図に示すように、吐出口６１やスリット６２から吐出される糊ｇはメッシュ５を介してスリット６２内やメッシュ５及び突出管４３の間に一時的に貯留される。これにより、先端部Ｘの角部である迫り出し縁６５、稜線６４からは、これら貯留された糊ｇが優先的に塗布されるので、使用者は迫り出し縁６５、稜線６４を用いた精密な塗布を、吐出口６１から吐出される糊ｇによる塗布同様、快適に行い得る。
【００５１】
以上のような構成とすることにより、本実施形態に係る塗布用容器は、操作部タル操作板３３をキャップ３側に設けることによって、密閉状態（Ｐ）から使用状態（Ｑ）へとすべくキャップ３を容器本体１から取り外す際に塗布用容器を触れることなく係り合いを解除することができるので、容器本体１を誤って押圧してしまい不要に液状物を吐出させてしまうという可能性を有効に排除せしめている。これにより、糊ｇの粘性等により容器本体１内を液状物が上下動するのに要する時間に関係無く、キャップ３への操作後、速やかに糊ｇを先端部Ｘから吐出させて使用することが可能となる。すなわち本発明によれば、容物を安定して収容しつつ、容易且つ速やかに使用し得る塗布用容器を実現している。
【００５２】
特に本実施形態では、密閉状態（Ｐ）で容器本体１を倒立状態とし得る構成としているので、キャップ３への操作後倒立状態にある容器本体１の先端部Ｘから速やかに下方に溜まった糊ｇを吐出させることができる。これにより、糊ｇの粘性等により容器本体１内を液状物が上下動するのに要する時間に関係無く、速やかに糊ｇを先端部Ｘから吐出させて使用することが可能となっている。
【００５３】
また本実施形態では、操作板３３の操作による速やかな上記係り合いの解除を実現するため、容器本体１を操作板３３の動作によりキャップ３との係り合いを解除し得る係合部たる係合爪２２を有するものとし、この係合爪２２に操作板３３に加わる操作力をキャップ３と容器本体１との離間方向への押圧力に変換する動作変換面たるテーパ面２２ｂを設けている。
【００５４】
また、テーパ面２２ｂの動作を正確に実現し得る構成として本実施形態では、容器本体１に、離間方向への動作を案内すべくキャップ３に摺動する案内部たる離間案内リブ２３を設けている。
【００５５】
また、使用状態（Ｑ）から密閉状態（Ｐ）へのキャップ３の装着を容易なものとするために本実施形態では、キャップ３に、使用状態（Ｑ）にある容器本体１の係合部に当接したときに当該係合部を係合面たる爪受け面３２ａへ向けて案内する案内面たる案内スロープ３５を設けている。
【００５６】
糊ｇの不要な乾燥や漏れを有効に防ぎ得る密閉状態（Ｐ）を実現する構成として本実施形態では、容器本体１に、内筒３４に内側から嵌り得る気密部２４を設けた構成としている。
【００５７】
そして上述した本実施形態に係る塗布用容器は、液状物を糊ｇ又は接着剤としている場合、容器本体１が液状物を吐出するための開口２１ａを有し、この開口２１ａに設けられた糊ｇ等を通過させ得る通過シートたるメッシュ５を介して吐出される態様としたときに有効に利用することができる。
【００５８】
そして、本実施形態では液状物としての糊ｇの粘度を５００ｃｐｓ〜３００００ｃｐｓであるか、より具体的には１０００ｃｐｓ〜１００００ｃｐｓとしておく事で、容易且つ安定した塗布が実現されている。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、上記実施形態では、使用者の押圧動作によって操作し得る態様を開示したが、勿論、キャップ本体とは別体に構成された部材をスライド移動や、回転動作等による操作によってキャップと容器本体との係り合いを解除し得るようにしたものであってもよい。また上記実施形態では平面視正方形状をなす先端部を形成したことに応じるように、ボトルの凹み（１０ｂ）をさらに大きくしてボトルの平面視形状をも四角形とし、先端部が平面視正方形状であることを使用者に想起させ易く構成しても良い。加えてボトルの頂面（１０ｃ）は上記実施形態では部分球状に膨出させた形状としたが勿論、平面状に形成しても良い。また容器本体やノズルの先端部の具体的な態様は上記実施形態のものに限定されることはなく、既存のものを含め、種々の態様のものを適用することができる。
【００６１】
その他、各部の具体的構成についても上記実施形態に限られるものではなく、本発明の趣旨を逸脱しない範囲で種々変形が可能である。
【産業上の利用可能性】
【００６２】
本発明は液状物を塗布するための塗布用容器として利用することができる。
【符号の説明】
【００６３】
１…容器本体
１０…ボトル
２２…係合部（係合爪）
２２ａ…テーパ面
２３…離間案内リブ
Ｘ…先端部
３…キャップ
３１…キャップ本体（外筒）
３３…操作部（操作板）
３４…内筒
３５ａ…挿入案内面
３９…底面
ｇ…液状物（糊）
【図１】
0006540001.tif 000002
【図２】
0006540001.tif 000003
【図３】
0006540001.tif 000004
【図４】
0006540001.tif 000005
【図５】
0006540001.tif 000006
【図６】
0006540001.tif 000007
【図７】
0006540001.tif 000008
【図８】
0006540001.tif 000009
【図９】
0006540001.tif 000010
【図１０】
0006540001.tif 000011
【図１１】
0006540001.tif 000012
【図１２】
0006540001.tif 000013
【図１３】
0006540001.tif 000014
【図１４】
0006540001.tif 000015
【図１５】
0006540001.tif 000016
【図１６】
0006540001.tif 000017